(57)【要約】【課題】特に三点式シートベルトを調整することができるベルト調整装置を提供する。【解決手段】本発明に係るベルト調整装置は、ケースと、枠部材と、移動部材と、スリップジョイントとを有し、そのうち、枠部材及び移動部材は、ケースの内部に取り付けられ、前記スリップジョイントは、乗り物におけるシートの一側の上方の壁に固定され、シートベルトのベルト部材は、スリップジョイントのリングを通過するように、そのリング４１を通過した両側の部分がそれぞれ枠部材及び移動部材に巻き取られる。これによれば、シートベルトのベルト部材２が前記枠部材及び移動部材によりロックしたり解錠したりすることができる。使用時、使用者が簡単な操作でベルト部材の位置決め点を無段階式に調整することができると共に、ベルト部材が自らの張力で自動的にロックすることができる。一方、前記ベルト調整装置を使用しないまたは調整しない場合は、ケースをリングに掛けることにより、ベルト調整装置を収納することができる。【選択図】図１
2019094049.tif 000002
【特許請求の範囲】
【請求項１】
シートベルトのベルト部材を調整するためのベルト調整装置であって、
本体と、該本体の両側に取り付ける２つの側蓋体と、該本体と２つの側蓋体との間に形成される移動空間と、該本体における、移動空間に対する内側の上部に設けられる少なくとも１つの当接部と、該側蓋体における、移動空間に対する内側且つ本体の近傍から、上方から下方へ向って延出する案内溝部と、前記案内溝部の底縁に形成される溝底部と、該側蓋体における、移動空間に対する内側から、下方から上方へ向って延出する係合凹部と、該係合凹部の上側に設けられる係合部と、を備えるケースと、
前記ケースに上下移動可能に取り付けられ、上枠部及び下枠部を備え、該上枠部に組合穴が形成され、該上枠部の両側にそれぞれ縦方向縁部が設けられ、該縦方向縁部はそれぞれ、上下摺動可能にケースの案内溝部に取り付けられ、該下枠部は、上枠部の下側に設けられると共に、連接穴を有し、前記ベルト部材の一部と連結される、枠部材と、
前記枠部材の上枠部に移動させながら組み合わされるように、ケースに取り付けられると共に、第一側板と、第二側板と、連接板を備え、該第一側板及び第二側板は、相対するように設けられ、前記連接板は、第一側板と第一側板の間に連接されるものであり、通過穴が形成され、該通過穴に、ベルト部材の他の一部を通過させ、前記枠部材と相対移動することにより、ベルト部材の他の一部をロックまたは解錠する、移動部材と、
前記ケースに着脱可能に取り付けられ、リング及び、前記リングの上部に環装される固定部を備え、該リングにベルト部材が通過するように巻き取られ、該リングの周囲にケースが環装され、該リングの両側はそれぞれ、ケースにおける側蓋体の係合部に係合するように、係合凹部に嵌め込まれる、スリップジョイントと、を有することを特徴とする、
ベルト調整装置。
【請求項２】
前記移動部材における第一側板と第二側板とは、上下に偏位して配列され、該第一側板の上縁は、第二側板の上縁よりも高い位置となり、前記連接板は、第一側板の底縁と第二側板の上縁との間に連接され、前記通過穴は、第二側板の上縁から第一側板の底縁且つ斜め下方に向って形成されることを特徴とする請求項１に記載のベルト調整装置。
【請求項３】
前記移動部材の通過穴の両側にそれぞれ側壁が設けられ、該各側壁の外側に摺動凹部が凹設され、前記上枠部の縦方向縁部はそれぞれ、移動部材の摺動凹部に嵌合されることを特徴とする請求項２に記載のベルト調整装置。
【請求項４】
前記リングは、磁性材料からなり、前記ケースの側蓋体における係合凹部の上側壁に、該リングを吸着するための磁石が設置されることを特徴とする請求項１乃至３の何れか１項に記載のベルト調整装置。
【請求項５】
前記枠部材の下枠部の連接穴に、ベルト部材を通過させることを特徴とする請求項１乃至３の何れか１項に記載のベルト調整装置。
【請求項６】
前記リングは、磁性材料からなり、前記ケースの側蓋体における係合凹部の上側壁に、該リングを吸着するための磁石が設置されることを特徴とする請求項５に記載のベルト調整装置。
【請求項７】
前記枠部材の下枠部に、可撓性を備える連接用ベルトが巻き取られ、前記連接用ベルトに連接用リングが取り付けられ、前記連接用リングにベルト部材を通過させることを特徴とする請求項１乃至３の何れか１項に記載のベルト調整装置。
【請求項８】
前記リングは、磁性材料からなり、前記ケースの側蓋体における係合凹部の上側壁に、該リングを吸着するための磁石が設置されることを特徴とする請求項７に記載のベルト調整装置。
【発明の詳細な説明】
【技術分野】
【０００１】
本発明は、特に三点式シートベルトにおけるベルトを調整することができるベルト調整装置に関するものである。
【背景技術】
【０００２】
車などの乗り物には、搭乗者の安全のために安全システムが設置されている。該安全システムは、車の座席の一側に巻取り器が装着され、ベルトをその巻取り器から引き出してシートの一側上部にあるスリップジョイントを通過させてから、搭乗者の胸の前を斜め下方に通して、ベルトにあるタングを介して座席の一側にある固定座に挿入して固定すると、搭乗者を締付けて固定することができ、さらに、ベルトの他端は座席の他側に固定されるので、三点式シートベルトの安全システムと言える。
【０００３】
三点式シートベルトを使用する時は、まずベルトを締め付けるが、ベルトが運転者または搭乗者の肩の近傍に固定した位置決め点の高さにおいて調整できず、非常事態が発生した時、ベルトが運転者または搭乗者の頚部を傷付ける虞があるため、ベルトを調整可能な構造が必要であった。
【先行技術文献】
【特許文献】
【０００４】
【特許文献１】特開２０１７−１３２７２７号
【発明の概要】
【発明が解決しようとする課題】
【０００５】
しかしながら、既存のベルト調整装置は、所定の車両しか利用できないと共に、構造が複雑で調整可能な範囲が小さく、無段階式に調節することができず、操作が面倒であるなどの欠点を有することから、改良する必要があった。
【課題を解決するための手段】
【０００６】
本発明は、シートベルトのベルト部材を調整するためのベルト調整装置であり、本体と、該本体の両側に取り付ける２つの側蓋体と、該本体と２つの側蓋体との間に形成される移動空間と、該本体における、移動空間に対する内側の上部に設けられる少なくとも１つの当接部と、該側蓋体における、移動空間に対する内側且つ本体の近傍から、上方から下方へ向って延出する案内溝部と、前記案内溝部の底縁に形成される溝底部と、該側蓋体における、移動空間に対する内側から、下方から上方へ向って延出する係合凹部と、該係合凹部の上側に設けられる係合部と、を備えるケースと、前記ケースに上下移動可能に取り付けられ、上枠部及び下枠部を備え、該上枠部に組合穴が形成され、該上枠部の両側にそれぞれ縦方向縁部が設けられ、該縦方向縁部はそれぞれ、上下摺動可能にケースの案内溝部に取り付けられ、該下枠部は、上枠部の下側に設けられると共に、連接穴を有し、前記ベルト部材の一部と連結される、枠部材と、前記枠部材の上枠部に移動させながら組み合わされるように、ケースに取り付けられると共に、第一側板と、第二側板と、連接板を備え、該第一側板及び第二側板は、相対するように設けられ、前記連接板は、第一側板と第一側板の間に連接されるものであり、通過穴が形成され、該通過穴に、ベルト部材の他の一部を通過させ、前記枠部材と相対移動することにより、ベルト部材の他の一部をロックまたは解錠する、移動部材と、前記ケースに着脱可能に取り付けられ、リング及び、前記リングの上部に環装される固定部を備え、該リングにベルト部材が通過するように巻き取られ、該リングの周囲にケースが環装され、該リングの両側はそれぞれ、ケースにおける側蓋体の係合部に係合するように、係合凹部に嵌め込まれる、スリップジョイントとを有する。
【発明の効果】
【０００７】
本発明に係るベルト調整装置は、乗り物の安全システムに装着して使用することができ、つまり、該ベルト調整装置におけるスリップジョイントは、乗り物の座席の一側の上部に固定され、ベルト部材を、スリップジョイントのリングを通過させてから枠部材及び移動部材を通過するように巻き取る。
この構成によれば、前記ベルト調整装置を使用しないまたは調整しない場合は、ケースをリングに掛けることにより収納することができ、一方、前記ベルト調整装置を調整する場合は、ケースを持ちながら枠部材と移動部材とによりスリップジョイントを解錠状態にすると、ベルトを調整することができるようになる。
【０００８】
本発明に係るベルト調整装置を用いてベルトの位置決め点を調整する場合は、まず、該ベルト調整装置をスリップジョイントのリングから取り外して、片手でケースを持ちながら、移動部材と枠部材との相対位置を変化させれば、ベルトを解錠することができる。
この構成によれば、ベルトの位置決め点を高く調整したり低く調整したりして無段階式に調整することができる。使用者がケースを解放すると、ベルト部材が自らの張力で枠部材と移動部材との相対位置を変更させることにより、ベルトをクリップして自動的にロックするので、ベルトを使用者の肩の近傍の所望の位置決め点で固定することができる。
【０００９】
本発明に係るベルト調整装置は、様々な種類の車両に利用することができ、構造が簡単で取り付けやすいので、生産コストや組立コストを節約することができる。また、使用する時は、無段階式に連続調整することが可能であることから、調整可能な範囲が広く、操作も簡単であり、自動的にロック可能であるとのメリットも有する。
【００１０】
本発明に係るベルト調整装置において、ケースをリングに掛けて収納する場合は、前記リングが磁性材料からなると共に、ケースの側蓋体における係合凹部の上側壁に磁石が設置されることから、前記磁石によりリングを吸着して確実に固定することができる。
【図面の簡単な説明】
【００１１】
【図１】本発明に係るベルト調整装置の実施例の説明図である。
【図２】図１のベルト調整装置に連接用ベルト及び連接用リングを取り付けた状態を示す実施例の斜視図である。
【図３】図１の部分分解斜視図である。
【図４】図１の他の部分分解斜視図である。
【図５】図１のベルト調整装置の実施例において、ケースをスリップジョイントから取り外した状態を示す斜視図である。
【図６】図１に示したケースと枠部材と移動部材との断面図である。
【図７】図１のベルト調整装置の実施例において、ケースをスリップジョイントから取り外した状態、及び、ケースに磁石を設置した状態を示す実施例の部分分解斜視図である。
【図８】本発明に係るベルト調整装置の使用状態を示す説明図である。
【図９】図８の部分拡大断面図である。
【図１０】図２の部分拡大断面図である。
【図１１】図９に示したベルト調整装置においての解錠状態を示した動作説明図である。
【図１２】図９に示したベルト調整装置をベルトに対して下方に移動させた状態を示す動作説明図である。
【図１３】図９に示したベルト調整装置のケースをスリップジョイントに掛けた状態を示す説明図である。
【発明を実施するための形態】
【００１２】
図１及び図２に示すように、本発明に係るベルト調整装置１の実施例は、ケース１０と、枠部材２０と、移動部材３０と、スリップジョイント４０を有する。
【００１３】
図３乃至図６に示すように、前記ケース１０は、本体１１及び２つの側蓋体１２を備える。該側蓋体１２は、本体１１における相対する両側に取り付けられ、該本体１１と２つの側蓋体１２との間に移動空間１００が形成される。
該移動空間１００は、上下貫通状を呈し、後側に向かって開放状となるスペースであり、該本体１１における移動空間１００側の内側に、後側壁１１１の上部に当接部１３が設けられる。尚、本実施例においては、前記後側壁１１１の上部に複数の当接部１３が間隔をおいて設けられることが好ましい。
【００１４】
図３乃至図６に示すように、前記ケース１０における側蓋体１２の移動空間１００側の内側に内側壁１２１が設けられ、該内側壁１２１における本体１１の近傍に、案内溝部１４が上方から下方へ延出するように形成され、該案内溝部１４の底縁に溝底部１５が形成される。
【００１５】
前記側蓋体１２の内側壁１２１に、係合凹部１６が下方から上方へ延出するように形成され、該係合凹部１６の上側に係合部１７が設けられ、前記ケース１０の側蓋体１２における係合凹部１６の上側壁に磁石１８が設置される。
【００１６】
図３乃至図６に示すように、前記枠部材２０は、上下移動可能にケース１０に取り付けられると共に、上枠部２１及び下枠部２２を備える。該上枠部２１に組合穴２１１が形成され該上枠部２１における、組合穴２１１の相対する両側にそれぞれ縦方向縁部２１２が設けられ、該下枠部２２は上枠部２１の下側に設けられ、該下枠部２２に連接穴２２１が形成される。該連接穴２２１は、密封状の環状穴であってもよく、開放状のスリットであってもよい。
更に、前記枠部材２０は、上枠部２１の縦方向縁部２１２が上下摺動可能にケース１０の案内溝部１４に嵌合されることにより、ケース１０に対して上下摺動可能となり、前記案内溝部１４の底縁にある溝底部１５により、縦方向縁部２１２の底端と当接するように取り付けられる。
【００１７】
図１、図３、図４の実施例に示すように、前記枠部材２０の下枠部２２の連接穴２２１にベルト部材２が通過すると共に、図２の他の実施例に示すように、前記下枠部２２に、可撓性を備えた連接用ベルト２３が巻き取られ、該連接用ベルト２３に連接用リング２４が取り付けられ、該連接用リング２４にベルト部材２が通過して、前記連接用リング２４に巻き取られる。
この構成によれば、前記枠部材２０が、下枠部２２と連接用ベルト２３と連接用リング２４との連結関係によりベルト部材２を装着することができる。尚、前記連接用ベルト２３は、伸縮性を備えるベルトであってもよく、伸縮性を備えないベルトであってもよい。
【００１８】
図３乃至図６に示すように、前記移動部材３０は、移動可能に前記枠部材２０の上枠部２１に組み合せるように、ケース１０に取り付けられ、第一側板３１と、第二側板３２と、連接板３３を備える。
該第一側板３１及び第二側板３２は相対するように設けられ、該連接板３３は、第一側板３１と第一側板３１との間に連接され、該連接板３３における第一側板３１と第二側板３２との間に通過穴３３１が開けられ、該通過穴３３１の相対する両側にそれぞれ側壁３３２が設けられ、該各側壁３３２は、第一側板３１及び第二側板３２に連接されると共に、該各側壁３３２の外側に摺動凹部３４が凹設される。
【００１９】
前記移動部材３０は、第一側板３１及び第二側板３２を枠部材２０の相対する両側に位置させるように、連接板３３を介して枠部材２０の上枠部２１の組合穴２１１に取り付けられ、該第一側板３１は、前記ケース１０の本体１１の後側壁１１１側に配置されると共に、該移動部材３０の摺動凹部３４に該上枠部２１の縦方向縁部２１２が嵌合される。
この構成によれば、前記移動部材３０の連接板３３が上枠部２１の組合穴２１１の範囲内で上下摺動可能となり、つまり、該移動部材３０を所定の範囲内で枠部材２０の上枠部２１及びケース１０に対して上下摺動可能させることができる。    
【００２０】
図３乃至図６に示すように、前記移動部材３０における第一側板３１と第二側板３２は、上下方向に偏位するように配列される。そのうち第一側板３１は、その上縁が第二側板３２の上縁よりも高い位置であり、該第一側板３１の底縁及び第二側板３２の上縁に前記側壁３３２が連接されると共に、該第二側板３２の上縁から第一側板３１の底縁且つ斜め下方に向かって前記通過穴３３１が形成される。尚、本実施例においては、前記第二側板３２の上部にさらに突起リブ３２１が設けられることが好ましい。
【００２１】
前記移動部材３０は、枠部材２０に組み合せることにより、ケース１０に対して上下摺動可能であり、前記ケース１０の本体１１における後側壁１１１の上部の当接部１３は、移動部材３０の第一側板３１の上方に位置する。
【００２２】
図１乃至図５に示すように、前記スリップジョイント４０は、着脱可能に前記ケース１０に取り付けられると共に、リング４１及び、該リング４１の上部に環装される固定部４２を備える。
そのうちリング４１は、磁性材料からなる部材であることから、磁性吸着可能であるので、該リング４１にベルト部材２が通過するように巻き取ることができる。該ケース１０は、上方から下方に向ってリング４１の周囲に環装され、該リング４１の両側はそれぞれ係合凹部１６に嵌め込まれ、該リング４１の上端は、ケース１０における側蓋体１２の係合部１７に係合される。
この構成によれば、前記枠部材２０及び移動部材３０に組み合わされたケース１０は、スリップジョイント４０のリング４１に対して上方に取り外すことができる。
【００２３】
図８及び図９に示すように、本発明に係るベルト調整装置を、車の安全システムとして使用する場合は、図１の実施例に示すように、スリップジョイント４０を、固定部４２を介して車におけるシートの一側の上部に固定し、シートの一側にある巻取り装置３から引き出したベルト部材２を、下方から上方に向って枠部材２０の下枠部２２に通してから、スリップジョイント４０のリング４１及び移動部材３０の通過穴３３１を通して巻き取る。
尚、前記ベルト部材２におけるリング４１から通過穴３３１までの部分は、ベルト前段部２Ａと定義し、前記ベルト部材２におけるリング４１からケース１０、枠部材２０、移動部材３０、タング４を順に通過してシートの巻取り装置３の一側まで延出する部分は、ベルト後段部２Ｂと定義する。
【００２４】
図８及び図９に示すように、搭乗者がベルト部材２を装着する時は、ベルト後段部２Ｂにあるタング４を、シートの一側にある固定座５に挿入し、移動部材３０と枠部材２０との相対位置を変化させることにより、ベルト後段部２Ｂをロックまたは解錠する。尚、前記ベルト部材２のリング４１の近傍における、ベルト前段部２Ａとベルト後段部２Ｂとの間には位置決め点を有する。
【００２５】
図９及び図１１に示すように、搭乗者がベルト調整装置１のベルト部材２を調整する時は、搭乗者が直感的な操作により、片手でケース１０を持ちながら移動部材３０と枠部材２０との相対位置を変化させればよい。この構成によれば、ベルト後段部２Ｂを簡単に解錠することができ、更に、ケース１０を上方または下方方向に摺動させて無段式調整を行うことにより、ベルト調整装置１を適当に調整することができる。
また、ケース１０を解放すると、ベルト部材２が自らの張力で枠部材２０と移動部材３０との相対位置が変わることにより、ベルト後段部２Ｂをクリップして、相当な摩擦力によりベルト後段部２Ｂを自動的にロックする。この構成によれば、前記ベルト部材２におけるタング４とリング４１との間にあるベルト後段部２Ｂが、ベルト調整装置１に対して相対移動することができないので、しっかりと位置決め固定することができる。
【００２６】
図９及び図１１に示すように、前記ベルト調整装置１を上方に移動させて高い位置に調整する場合は、ケース１０を持ち上げて、前記ケース１０の溝底部１５が枠部材２０と当接しながら上方に移動させればよい。
この構成によれば、前記枠部材２０の、移動部材３０に対する相対位置が変わることにより、該枠部材２０及び移動部材３０がベルト後段部２Ｂをクリップする力を解放するので、該ベルト調整装置１をベルト後段部２Ｂに対して上方に摺動させることができる。
【００２７】
一方、図１２に示すように、前記ベルト調整装置１を下方に移動させて低い位置に調整する場合は、ケース１０を下方に移動させて、前記ケース１０の当接部１３が移動部材３０を押して下方に移動させればよい。
この構成によれば、前記移動部材３０の、枠部材２０に対する相対位置が変わることにより、該枠部材２０及び移動部材３０がベルト後段部２Ｂをクリップする力を解放するので、前記ベルト調整装置１をベルト後段部２Ｂに対して下方に摺動させることができる。
【００２８】
上述したように、ベルト調整装置１を上方または下方に移動させて調整し、ケース１０を解放すると、ベルト部材２が自らの張力で枠部材２０及び移動部材３０によりベルト後段部２Ｂをクリップして、相当な摩擦力によりベルト後段部２Ｂを自動的にロックする。
この構成によれば、前記ベルト部材２におけるタング４とリング４１との間にあるベルト後段部２Ｂは、ベルト調整装置１に対して相対移動することができないので、しっかりと位置決め固定することができる。
【００２９】
図１３に示すように、前記ベルト調整装置１を使用しない、或いは、前記ベルト調整装置１が枠部材２０に固定する位置決め点を調整しない場合は、前記ケース１０でリング４１をカバーすることができる。この時、前記枠部材２０及び移動部材３０はベルト部材２をクリップしておらず、解錠状態であることから、ベルト部材２は伸縮自在の状態である。
また、図１３に示すように、前記ケース１０はさらに、２つの側蓋体１２にある磁石１８により、磁性を備えるリング４１を吸着して確実に固定することもできる。
【００３０】
図１０に示すように、本発明に係るベルト調整装置１において、下枠部２２に取り付けて可撓性を備えた連接用ベルト２３を介して連接用リング２４と連接する枠部材２０の実施例であれば、そのシートの一側にある巻取り装置３から引き出したベルト部材２は、連接用リング２４を通過して、スリップジョイント４０のリング４１及び移動部材３０の通過穴３３１を通過するように巻き取られる。尚、本実施例の操作及び調整方法は、上述した方法と同一であることから、詳細な説明は省略する。
【符号の説明】
【００３１】
１０    ケース
１１    本体
１２    側蓋体
１３    当接部
１４    案内溝部
１５    溝底部
１６    係合凹部
１７    係合部
１８    磁石
１００  移動空間
１１１  後側壁
１２１  内側壁
２０    枠部材
２１    上枠部
２１１  組合穴
２１２  縦方向縁部
２２    下枠部
２２１  連接穴
２３    連接用ベルト
２４    連接用リング
３０    移動部材
３１    第一側板
３２    第二側板
３２１  突起リブ
３３    連接板
３３１  通過穴
３３２  側壁
３４    摺動凹部
４０    スリップジョイント
４１    リング
４２    固定部
１      ベルト調整装置
２      ベルト部材
３      巻取り装置
４      タング
２Ｂ    ベルト後段部
２Ａ    ベルト前段部
【図１】
2019094049.tif 000003
【図２】
2019094049.tif 000004
【図３】
2019094049.tif 000005
【図４】
2019094049.tif 000006
【図５】
2019094049.tif 000007
【図６】
2019094049.tif 000008
【図７】
2019094049.tif 000009
【図８】
2019094049.tif 000010
【図９】
2019094049.tif 000011
【図１０】
2019094049.tif 000012
【図１１】
2019094049.tif 000013
【図１２】
2019094049.tif 000014
【図１３】
2019094049.tif 000015